【手続補正書】
【提出日】平成18年11月29日(2006.11.29)
【手続補正１】
【補正対象書類名】明細書
【補正対象項目名】特許請求の範囲
【補正方法】変更
【補正の内容】
【特許請求の範囲】
【請求項１】
光学的に情報が記録された光ディスクの記録面に光ビームを照射するとともに光ディスクの記録面で反射した戻り光を受光して少なくともトラッキングエラー信号を検出する受発光素子と、
上記受発光素子と上記光ディスクとの間に設けられ、上記受発光素子から照射された光ビームを少なくとも３ビームに分離する回折格子と、
上記回折格子と上記光ディスクとの間に設けられ、上記回折格子によって分離された光ビームを上記光ディスクの記録面上に集光させる集光用光学系とを備え、
上記受発光素子は、第１の光ビームを発生する第１の光源と、上記第１の光ビームよりも短波長の第２の光ビームを発生する第２の光源とを有し、
上記回折格子は、複数の溝が形成されてなるとともに、上記第１の光ビームが入射するときの１次光回折効率が、上記第２の光ビームが入射するときの１次光回折効率よりも大きくなるように、溝深さが決定されていることを特徴とする光学ヘッド。
【請求項２】
上記回折格子は、第１の光ビームが入射するときの１次光回折効率が５％以上となり、かつ、第２の光ビームが入射するときの１次光回折効率が５％以内となるように、溝深さが決定されていることを特徴とする請求項１記載の光学ヘッド。
【請求項３】
上記第１の光ビームは、波長が７８５±２５ｎｍであり、上記第２の光ビームは、波長が６５５±２５ｎｍであることを特徴とする請求項１記載の光学ヘッド。
【請求項４】
上記受発光素子は、更に、半導体基板を有し、上記第１及び第2の光源と、光ディスクからの戻り光を受光する受光素子とが上記半導体基板上に配されていることを特徴とする請求項１に記載の光学ヘッド。
【請求項５】
上記受発光素子は、更に、上記第1及び第2の光源と、光ディスクからの戻り光を受光する受光素子とを収容するハウジングと、このハウジングに取りつけられた光学素子を有し、前記回折格子は、上記光学素子の一面に設けられていることを特徴とする請求項１に記載の光ヘッド。
【請求項６】
上記受発光素子は、更に、上記光学素子の他面側に、第1及び第2の光源から出射された光ビームの光ディスクからの戻り光を上記受光素子に向けるホログラムが設けられていることを特徴とする請求項５に記載の光ヘッド。
【請求項７】
光学的に情報が記録された光ディスクを回転駆動する回転駆動手段と、
上記回転駆動手段によって回転駆動される光ディスクの記録面に光ビームを照射し、その戻り光を受光する光学ヘッドと、
上記光学ヘッドによって検出された信号を処理する信号処理回路とを有し、
上記光学ヘッドは、
光学的に情報が記録された光ディスクの記録面に光ビームを照射するとともに光ディスクの記録面で反射した戻り光を受光して少なくともトラッキングエラー信号を検出する受発光素子と、
上記受発光素子と上記光ディスクとの間に設けられ、上記受発光素子から照射された光ビームを少なくとも３ビームに分離する回折格子と、
上記回折格子と上記光ディスクとの間に設けられ、上記回折格子によって分離された光ビームを上記光ディスクの記録面上に集光させる集光用光学系とを備え、
上記受発光素子は、第１の光ビームを発生する第１の光源と、上記第１の光ビームよりも短波長の第２の光ビームを発生する第２の光源とを有し、
上記回折格子は、複数の溝が形成されてなるとともに、上記第１の光ビームが入射するときの１次光回折効率が、上記第２の光ビームが入射するときの１次光回折効率よりも大きくなるように、溝深さが決定されていることを特徴とする光記録再生装置。
【請求項８】
上記回折格子は、第１の光ビームが入射するときの１次光回折効率が５％以上となり、かつ、第２の光ビームが入射するときの１次光回折効率が５％以内となるように、溝深さが決定されていることを特徴とする請求項７記載の光記録再生装置。
【請求項９】
上記第１の光ビームは、波長が７８５±２５ｎｍであり、上記第２の光ビームは、波長が６５５±２５ｎｍであることを特徴とする請求項７記載の光記録再生装置。
【請求項１０】
上記受発光素子は、更に、半導体基板を有し、上記第１及び第2の光源と、光ディスクからの戻り光を受光する受光素子とが上記半導体基板上に配されていることを特徴とする請求項７に記載の光記録再生装置。
【請求項１１】
上記受発光素子は、更に、上記第1及び第2の光源と、光ディスクからの戻り光を受光する受光素子とを収容するハウジングと、このハウジングに取りつけられた光学素子を有し、前記回折格子は、上記光学素子の一面に設けられていることを特徴とする請求項７に記載の光記録再生装置。
【請求項１２】
上記受発光素子は、更に、上記光学素子の他面側に、第1及び第2の光源から出射された光ビームの光ディスクからの戻り光を上記受光素子に向けるホログラムが設けられていることを特徴とする請求項請求項１１に記載の光記録再生装置。
【請求項１３】
第１の光ビームを発生する第１の光源と、
上記第1の光源に近接して配置され、上記第１の光ビームよりも短波長の第２の光ビームを発生する第２の光源と,
上記第1及び第2の光源と上記光ディスクとの間に設けられ、上記第1、第2の光源から照射された光ビームをそれぞれ少なくとも３ビームに分離する回折格子と、
上記回折格子と上記光ディスクとの間に設けられ、上記回折格子によって分離された光ビームを上記光ディスクの記録面上に集光させる集光用光学系とを備え、
上記回折格子は、複数の溝が形成されてなるとともに、上記第１の光ビームが入射するときの１次光回折効率が、上記第２の光ビームが入射するときの１次光回折効率よりも大きくなるように、溝深さが決定されていることを特徴とする光学ヘッド。
【請求項１４】
上記回折格子は、第１の光ビームが入射するときの１次光回折効率が５％以上となり、かつ、第２の光ビームが入射するときの１次光回折効率が５％以内となるように、溝深さが決定されていることを特徴とする請求項１３記載の光学ヘッド。
【請求項１５】
上記第１の光ビームは、波長が７８５±２５ｎｍであり、上記第２の光ビームは、波長が６５５±２５ｎｍであることを特徴とする請求項１３記載の光学ヘッド。
【請求項１６】
光学的に情報が記録された光ディスクを回転駆動する回転駆動手段と、
上記回転駆動手段によって回転駆動される光ディスクの記録面に光ビームを照射し、その戻り光を受光する光学ヘッドと、
上記光学ヘッドによって検出された信号を処理する信号処理回路とを有し、
上記光学ヘッドは、
第１の光ビームを発生する第１の光源と、
上記第1の光源に近接配置され上記第１の光ビームよりも短波長の第２の光ビームを発生する第２の光源と、
上記第１及び第2の光源と上記光ディスクとの間に設けられ、上記第１及び第2の光源から照射されたレーザ光をそれぞれ少なくとも３ビームに分離する回折格子と、
上記回折格子と上記光ディスクとの間に設けられ、上記回折格子によって分離されたレーザ光を上記光ディスクの記録面上に集光させる集光用光学系とを備え、
上記回折格子は、複数の溝が形成されてなるとともに、上記第１の光ビームが入射するときの１次光回折効率が、上記第２の光ビームが入射するときの１次光回折効率よりも大きくなるように、溝深さが決定されていることを特徴とする光記録再生装置。
【請求項１７】
上記回折格子は、第１の光ビームが入射するときの１次光回折効率が５％以上となり、かつ、第２の光ビームが入射するときの１次光回折効率が５％以内となるように、溝深さが決定されていることを特徴とする請求項１６記載の光記録再生装置。
【請求項１８】
上記第１の光ビームは、波長が７８５±２５ｎｍであり、上記第２の光ビームは、波長が６５５±２５ｎｍであることを特徴とする請求項１６記載の光記録再生装置。
【手続補正２】
【補正対象書類名】明細書
【補正対象項目名】０００９
【補正方法】変更
【補正の内容】
【０００９】
【課題を解決するための手段】
本発明に係る光ヘッドは、光学的に情報が記録された光ディスクの記録面に光ビームを照射するとともに光ディスクの記録面で反射した戻り光を受光して少なくともトラッキングエラー信号を検出する受発光素子と、上記受発光素子と上記光ディスクとの間に設けられ、上記受発光素子から照射された光ビームを少なくとも３ビームに分離する回折格子と、上記回折格子と上記光ディスクとの間に設けられ、上記回折格子によって分離された光ビームを上記光ディスクの記録面上に集光させる集光用光学系とを備える。
【手続補正３】
【補正対象書類名】明細書
【補正対象項目名】００１０
【補正方法】変更
【補正の内容】
【００１０】
そして、本発明に係る光学ヘッドは、上記受発光素子が、第１の光ビームを発生する第１の光源と、上記第１の光ビームよりも短波長の第２の光ビームを発生する第２の光源とを有し、上記回折格子は、複数の溝が形成されてなるとともに、上記第１の光ビームが入射するときの１次光回折効率が、上記第２の光ビームが入射するときの１次光回折効率よりも大きくなるように、溝深さが決定されていることを特徴とする。
【手続補正４】
【補正対象書類名】明細書
【補正対象項目名】００１１
【補正方法】変更
【補正の内容】
【００１１】
上述したような本発明に係る光学ヘッドでは、上記第１の光ビームが入射するときの１次光回折効率が、上記第２の光ビームが入射するときの１次光回折効率よりも大きくなるように、上記回折格子の溝深さが決定されているので、第１の光ビームが回折格子により分割されても、第２の光ビームはほとんど分割されない。そのため、この光学ヘッドでは、第２の光ビームの迷光の発生が抑えられ、光利用パワー効率が向上する。
【手続補正５】
【補正対象書類名】明細書
【補正対象項目名】００１２
【補正方法】変更
【補正の内容】
【００１２】
また、本発明に係る光記録再生装置は、光学的に情報が記録された光ディスクを回転駆動する回転駆動手段と、上記回転駆動手段によって回転駆動される光ディスクの記録面に光ビームを照射し、その戻り光を受光する光学ヘッドと、上記光学ヘッドによって検出された信号を処理する信号処理回路とを有する。
【手続補正６】
【補正対象書類名】明細書
【補正対象項目名】００１３
【補正方法】変更
【補正の内容】
【００１３】
この光記録再生装置に用いられる光学ヘッドは、光学的に情報が記録された光ディスクの記録面に光ビームを照射するとともに光ディスクの記録面で反射した戻り光を受光して少なくともトラッキングエラー信号を検出する受発光素子と、上記受発光素子と上記光ディスクとの間に設けられ、上記受発光素子から照射された光ビームを少なくとも３ビームに分離する回折格子と、上記回折格子と上記光ディスクとの間に設けられ、上記回折格子によって分離された光ビームを上記光ディスクの記録面上に集光させる集光用光学系とを備える。上記受発光素子は、第１の光ビームを発生する第１の光源と、上記第１の光ビームよりも短波長の第２の光ビームを発生する第２の光源とを有する。
【手続補正７】
【補正対象書類名】明細書
【補正対象項目名】００１４
【補正方法】変更
【補正の内容】
【００１４】
そして、この光記録再生装置は、上記回折格子が、複数の溝が形成されてなるとともに、上記第１の光ビームが入射するときの１次光回折効率が、上記第２の光ビームが入射するときの１次光回折効率よりも大きくなるように、溝深さが決定されていることを特徴とする。
【手続補正８】
【補正対象書類名】明細書
【補正対象項目名】００１５
【補正方法】変更
【補正の内容】
【００１５】
上述したような本発明に係る光記録再生装置では、上記第１の光ビームが入射するときの１次光回折効率が、上記第２の光ビームが入射するときの１次光回折効率よりも大きくなるように、上記回折格子の溝深さが決定されているので、第１の光ビームが回折格子により分割されても、第２の光ビームはほとんど分割されない。そのため、この光記録再生装置では、第２の光ビームの迷光の発生が抑えられ、光利用パワー効率が向上する。